(57)【要約】【課題】日頃使っている照明器具のソケット部に携帯用照明等の機能を持たせ、停電時、ソケット部の携帯照明光源が光り、このソケット部を照明器具の台座から容易に離して入手出来るようにした照明器具を提供する。【解決手段】照明器具のソケット部Ａと当該ソケット部Ａを嵌合する凹部９を設けた台座Ｂを設け、ソケット部Ａに電球用のソケット１、蓄電池２、プラグ４、携帯用照明光源６を設け、携帯用照明光源６は、蓄電池２との間のリレースイッチ５ａにより通電時はオフで、停電時はオンとなるようにし、台座Ｂの凹部９の底にコンセント１０を設け、ソケット部Ａを凹部９内に嵌合すると、プラグ４が凹部９のコンセント１０に差し込まれて通電され、コンセント１０から通電されないとリレースイッチ５ａがオンになって携帯用照明光源６が点灯し、蓄電池２を電源とした電磁回路がオンとなりソケット部Ａは台座Ｂの凹部９から外れる。【選択図】図１
2006309966.tif 000002
【特許請求の範囲】
【請求項１】
照明器具の光源を取付ける略柱状のソケット部と、当該ソケット部の下部を着脱自在に嵌合する凹部を上面に設けた台座を設け、
上記ソケット部の上面に電球を取付けるソケットを設け、また、蓄電池を内蔵し、当該ソケット部の下面に上記蓄電池及びソケットと接続したプラグを突設し、当該ソケット部の上部外面に上記蓄電池と接続した携帯用照明光源を設け、当該携帯用照明光源には上記プラグと蓄電池又はソケットとの回線に設けたリレーにより、当該回線の通電時はオフとなり、停電時はオンとなるスイッチを設け、また、当該ソケット部の側面に上記蓄電池と接続した電気接触子を露出させ、また、複数の被係止孔を穿ち、
上記台座の凹部の底面には上記ソケット部のプラグを差し込むコンセントを設け、当該コンセントは当該台座から導出したリード線により商用電源に接続されるものとし、当該凹部の底面にはスプリングを設け、当該台座の凹部内周面に穿った複数の孔に押圧係止片を設け、当該各押圧係止片は常時スプリングの力で凹部内周面からその先端が突出するように付勢され、また、当該各押圧係止片に内蔵した電磁石と台座に内蔵した電磁石とから成る電磁回路を設け、当該電磁回路に電流が流れると各電磁石が相互に吸引するように構成し、当該電磁回路にはスイッチ及び台座の凹部の内周面に露出させた電気接触子を設け
上記ソケット部を上記台座の凹部内のスプリングの力に抗して当該凹部内に嵌合すると、当該ソケット部のプラグが当該凹部内のコンセントに差し込まれ、各押圧係止片がソケット部の各被係止孔に嵌まり、当該台座の凹部の内周面の電気接触子とソケット部の側面の電気接触子が接触する構成とし、
上記コンセントからの商用電源が供給されないと上記リレーが働き、上記携帯用照明光源のスイッチがオンになって当該携帯用照明光源が点灯し、上記台座に設けたスイッチを押すことにより上記ソケット部の蓄電池を電源とした上記電磁回路がオンとなって各電磁石が相互に吸引し、各押圧係止片はスプリングの力に抗してその先端がソケット部の各被係止孔から外れ、ソケット部は台座の凹部に設けたスプリングの力で当該凹部から外れ、プラグもコンセントから外れる構成としたことを特徴とする、照明器具。
【請求項２】
上記ソケット部の側面に突起を設け、上記台座の凹部内周面に縦方向にガイド溝を穿ち、当該ガイド溝は台座の上面まで達するものとし、当該台座のガイド溝内に上記ソケット部の突起を挿入して当該台座の凹部に当該ソケット部の下部を嵌める構成とし、当該台座の上記ガイド溝の上端面を塞ぐ回動自在なストッパーを設けたことを特徴とする、上記請求項１に記載の照明器具。
【請求項３】
上記ソケット部に、ラジオ機能、携帯電話充電機能又は防災行政無線傍受機能を持たせたことを特徴とする、上記請求項１又は２の何れかに記載の照明器具。
【発明の詳細な説明】
【技術分野】
【０００１】
この発明は、室内等に設置して普段使用されている装飾照明器具（以下、単に「照明器具」と言う）のソケット部に、携帯用照明、ラジオ等の機能を持たせ、災害等による停電時に、当該ソケット部が外れて持ち運び出来るようにした、照明器具に関するものである。
【背景技術】
【０００２】
地震や台風などの災害による生活上の不便は、大きなものがある。この様な不便を少しでも軽減するものとして、携帯食料、飲料水、ラジオ、懐中電灯などを詰め込んだいわゆる防災グッズが盛んに研究され、また商品としても販売されている。
【０００３】
一方、特開平１１−１７６２１７号公報「非常用照明器具」に示すように、通常は、商用電源によって使用し、また、当該商用電源によって充電される蓄電池を自身に備え、停電時に、当該蓄電池を電源として光源を点灯させるというものがある。
【特許文献１】特開平１１−１７６２１７号公報
【発明の開示】
【発明が解決しようとする課題】
【０００４】
しかしながら、上記の様な、防災グッズを入手して室内に用意していたとしても、夜間に地震等が発生し、停電が起きた際、暗闇の中、当該防災グッズを探すのは極めて困難なことである。また、上記非常用照明器具は、停電時には、予め自身に備えた蓄電池によって発光するものであるが、その場で発光するものであり、携帯用照明とはならない。
【０００５】
上記防災グッズとして、図６及び図７に示すような、普段、使用されている照明器具Ｅ、Ｆの一部に、携帯用照明、ラジオ機能、防災行政無線傍受機能、及び携帯電話充電機能などをコンパクトに収め、災害などによる停電時、これらの機能を収めたものが自動的に発光し、当該機能を収めた部分のみを当該照明器具から離して携帯出来るというものがあれば便利であるが、今のところ、その様なものは見られない。
【０００６】
そこで、この発明は、これらの点に鑑みて為されたもので、日頃、使用している照明器具のソケット部に携帯用照明、ラジオ等の機能を持たせ、停電になると当該ソケット部に設けた携帯照明光源が自動的に光って位置を知らせ、当該ソケット部を取付けた照明器具の台座から容易に離して入手携帯出来るようにした、照明器具を提供して上記課題を解決するものである。
【課題を解決するための手段】
【０００７】
請求項１の発明は、照明器具の光源を取付ける略柱状のソケット部と、当該ソケット部の下部を着脱自在に嵌合する凹部を上面に設けた台座を設け、  上記ソケット部の上面に電球を取付けるソケットを設け、また、蓄電池を内蔵し、当該ソケット部の下面に上記蓄電池及びソケットと接続したプラグを突設し、当該ソケット部の上部外面に上記蓄電池と接続した携帯用照明光源を設け、当該携帯用照明光源には上記プラグと蓄電池又はソケットとの回線に設けたリレーにより、当該回線の通電時はオフとなり、停電時はオンとなるスイッチを設け、また、当該ソケット部の側面に上記蓄電池と接続した電気接触子を露出させ、また、複数の被係止孔を穿つ。
【０００８】
また、上記台座の凹部の底面には上記ソケット部のプラグを差し込むコンセントを設け、当該コンセントは当該台座から導出したリード線により商用電源に接続されるものとし、当該凹部の底面にはスプリングを設け、当該台座の凹部内周面に穿った複数の孔に押圧係止片を設け、当該各押圧係止片は常時スプリングの力で凹部内周面からその先端が突出するように付勢され、また、当該各押圧係止片に内蔵した電磁石と台座に内蔵した電磁石とから成る電磁回路を設け、当該電磁回路に電流が流れると各電磁石が相互に吸引するように構成する。
【０００９】
さらに、当該電磁回路にはスイッチ及び台座の凹部の内周面に露出させた電気接触子を設け、上記ソケット部を上記台座の凹部内のスプリングの力に抗して当該凹部内に嵌合すると、当該ソケット部のプラグが当該凹部内のコンセントに差し込まれ、各押圧係止片がソケット部の各被係止孔に嵌まり、当該台座の凹部の内周面の電気接触子とソケット部の側面の電気接触子が接触する構成とする。
【００１０】
上記コンセントからの商用電源が供給されないと上記リレーが働き、上記携帯用照明光源のスイッチがオンになって当該携帯用照明光源が点灯し、上記台座に設けたスイッチを押すことにより上記ソケット部の蓄電池を電源とした上記電磁回路がオンとなって各電磁石が相互に吸引し、各押圧係止片はスプリングの力に抗してその先端がソケット部の各被係止孔から外れ、ソケット部は台座の凹部に設けたスプリングの力で当該凹部から外れ、プラグもコンセントから外れる構成とした照明器具とした。
【００１１】
請求項２の発明は、上記ソケット部の側面に突起を設け、上記台座の凹部内周面に縦方向にガイド溝を穿ち、当該ガイド溝は台座の上面まで達するものとし、当該台座のガイド溝内に上記ソケット部の突起を挿入して当該台座の凹部に当該ソケット部の下部を嵌める構成とし、当該台座の上記ガイド溝の上端面を塞ぐ回動自在なストッパーを設けた上記請求項１に記載の照明器具とした。また、請求項３の発明は、上記ソケット部に、ラジオ機能、携帯電話充電機能又は防災行政無線傍受機能を持たせた上記請求項１又は２の何れかに記載の照明器具とした。
【発明の効果】
【００１２】
請求項１乃至３の各発明によれば、通常、使用されている照明器具を利用したものであり、この様な照明器具は、一般的に利用者の近くで使用することが多く、この様な照明器具のソケット部に携帯用照明等の機能を持たせ、さらに、災害による停電時に、携帯照明光源が瞬時に点灯するようにしたので、直ぐにこの防災グッズを発見出来、その後は、携帯用照明として使用できるので、防災グッズとしての利用価値が高い。また、ソケット部の台座における係止を解除するのに、ソケット部に設けられた蓄電池を電源とする電磁石の働き、及びスプリングによる押圧により、ソケット部が瞬時に解除離脱出来るようにし、さらに、商用電源を電源とせず、ソケット部の蓄電池で事前に充電された電源を使用するので、停電時でも確実に使用出来防災グッズとして信頼性の高いものである。
【００１３】
請求項２の発明によれば、上記ソケット部の側面に突起を設け、上記台座の凹部の内側面にガイド溝を穿ち、当該台座のガイド溝内に上記ソケット部の突起を挿入して当該台座の凹部内にこのソケット部を嵌め入れることにより、これらがガイドとなって、当該ソケット部の下部が容易に凹部の所定の位置に嵌合される。これにより、ソケット部の下部は凹部内に保持され、ソケット部は凹部内の各スプリングを押圧し、ソケット部の電気接触子と台座の電気接触子が接触する。また、ソケット部のプラグが当該台座のコンセントに確実に差し込まれて商用電源が供給されてソケット部の電球を点灯させ、蓄電池を充電し、照明器具の各機能がセットされる。さらに、上記台座のガイド溝を設けた個所の上端面に回動自在なストッパーを設け、停電時にソケット部が台座から離れた際、このストッパーによりソケット部が台座の凹部から飛び出すのを防ぐことが出来るので、ソケット部に取付けられたままの光源が割れるようなことが無く、安全である。
【００１４】
請求項３の発明によれば、上記ソケット部に、ラジオ機能、携帯電話充電機能又は防災行政無線傍受機能を持たせたので、ラジオにより必要な情報が入手出来、携帯電話の充電が出来、携帯電話による通話時間を格段に延長することが出来る。また、行政からの、食料や水等の配給、救援や医療等の重要な情報を確実に得ることが出来、極めて有用である。
【発明を実施するための最良の形態】
【００１５】
照明器具の光源を取付ける略柱状のソケット部と、当該ソケット部の下部を着脱自在に嵌合する凹部を上面に設けた台座を設け、上記ソケット部の上面に電球を取付けるソケットを設け、また、蓄電池を内蔵し、当該ソケット部の下面に上記蓄電池及びソケットと接続したプラグを突設し、当該ソケット部の上部外面に上記蓄電池と接続した携帯用照明光源を設け、当該携帯用照明光源には上記プラグと蓄電池又はソケットとの回線に設けたリレーにより、当該回線の通電時はオフとなり、停電時はオンとなるスイッチを設け、また、当該ソケット部の側面に上記蓄電池と接続した電気接触子を露出させ、また、複数の被係止孔を穿つ。
【００１６】
上記台座の凹部の底面には上記ソケット部のプラグを差し込むコンセントを設け、当該コンセントは当該台座から導出したリード線により商用電源に接続されるものとし、当該凹部の底面にはスプリングを設け、当該台座の凹部内周面に穿った複数の孔に押圧係止片を設け、当該各押圧係止片は常時スプリングの力で凹部内周面からその先端が突出するように付勢され、また、当該各押圧係止片に内蔵した電磁石と台座に内蔵した電磁石とから成る電磁回路を設け、当該電磁回路に電流が流れると各電磁石が相互に吸引するように構成し、当該電磁回路にはスイッチ及び台座の凹部の内周面に露出させた電気接触子を設ける。
【００１７】
上記ソケット部を上記台座の凹部内のスプリングの力に抗して当該凹部内に嵌合すると、当該ソケット部のプラグが当該凹部内のコンセントに差し込まれ、各押圧係止片がソケット部の各被係止孔に嵌まり、当該台座の凹部の内周面の電気接触子とソケット部の側面の電気接触子が接触する構成とする。
【００１８】
上記コンセントからの商用電源が供給されないと上記リレーが働き、上記携帯用照明光源のスイッチがオンになって当該携帯用照明光源が点灯し、上記台座に設けたスイッチを押すことにより上記ソケット部の蓄電池を電源とした上記電磁回路がオンとなって各電磁石が相互に吸引し、各押圧係止片はスプリングの力に抗してその先端がソケット部の各被係止孔から外れ、ソケット部は台座の凹部に設けたスプリングの力で当該凹部から外れ、プラグもコンセントから外れる構成としたことを特徴とする、照明器具。
【実施例１】
【００１９】
以下、この発明の実施例を図に基づいて説明する。
図１は、この発明の実施例の照明器具Ｄ（図４又は図５参照）の光源を取付ける円柱型のソケット部Ａと、このソケット部Ａを着脱自在に取付ける凹部を上面の中央に設けた扁平な円柱形状の台座Ｂを示す。このソケット部Ａの上端面の中央には光源である白熱電球Ｃを取付けるソケット１を設け、このソケット１の下方のソケット部Ａには蓄電池２及び当該蓄電池２に接続したラジオ３を内蔵している。
【００２０】
このソケット部Ａの下面に上記ソケット１及び蓄電池２に接続したプラグ４を設け、このソケット部Ａの内部にプラグ４と上記ソケット１との間にリレー５を設けている。また、このソケット部Ａの上端面であって上記ソケット１の周囲に上記蓄電池２と上記リレー５のスイッチ５ａを介して接続された４つのＬＥＤ（発光ダイオード）等の携帯照明光源６を設けており、このソケット部Ａの側面に、上記蓄電池２と接続した盤状の電気接触子７を１８０度の間隔で２つ設け、これらの電気接触子７の下方に２つの被係止孔８を穿っている。
【００２１】
上記台座Ｂの凹部９は、上記円柱型のソケット部Ａの外径よりやや大きい内径を有し、上記ソケット部Ａの下部を嵌め入れる深さを有している。この凹部９の底面の中央に上記プラグ４を係合自在なコンセント１０を設け、このコンセント１０は、この台座Ｂから延びたリード線１１により商用電源に接続されるようになっている。この台座Ｂの凹部９の底面であって上記コンセント１０の周囲に等間隔で４つのスプリング１２を設け、この台座Ｂの凹部９を形成する壁体９ａは一定の厚さを有し、この壁体９ａの内周面１３に孔１４を１８０度の間隔で２つ設けている。これらの２つの孔１４は、壁体９ａの中で断面鉤型に伸びており、壁体９ａの上端面に開口した孔１５が連設されている。また、これらの２つの各孔１４内に夫々略Ｌ型の押圧係止片１６を設け、これらの２つの各押圧係止片１６の先端はその背面に設けられたスプリング１７により夫々常に内周面１３から突出するように付勢されている。また、各押圧係止片１６の上部１６ａは、夫々孔１５から若干突出している。
【００２２】
これらの押圧係止片１６を押圧している各スプリング１７の一端は押圧係止片１６の背面に固着され、これらの各スプリング１７の他端は孔１４の奥の面に固着されている。各押圧係止片１６の背面側には電磁石１８ａを内蔵し、各孔１４の奥の面側には電磁石１８ｂを内蔵している。また、これらの各電磁石１８ａ、１８ｂは夫々配線によって接続されており、夫々通電すると異極の磁力が発生する。台座Ｂの凹部９の内周面１３にこれらの配線に接続された凸円盤状の電気接触子１９を１８０度の間隔で２つ設けている。さらに、台座Ｂの上面の凹部９の脇には、これらの配線から成る電磁回路を開閉するスイッチ９ａを設けており、通常は、開放された状態になっている。
【００２３】
上記ソケット部Ａを上記台座Ｂの上方から凹部９内に嵌め入れてこの凹部９の底面に各スプリング１２の力に抗して載置すると、各押圧係止片１６の先端はソケット部Ａの外周壁に押されて各スプリング１７を縮めて孔１４内に引っ込み、ソケット部Ａが完全に凹部９内に嵌ると、各押圧係止片１６にソケット部Ａの側面の各被係止孔８が対向し、各被係止孔８内に台座Ｂの各押圧係止片１６が上記スプリング１７の作用により突出してこのソケット部Ａを係止し、ソケット部Ａは凹部９内に保持される。この時、ソケット部Ａは、凹部９内の各スプリング１２を押圧しており、さらに、ソケット部Ａのプラグ４がこの台座Ｂのコンセント１０に差し込まれる。また、この時、ソケット部Ａの電気接触子７と台座Ｂの電気接触子１９が接触しているが、スイッチ９ａが開いているので電流は流れない。
【００２４】
この様に、上記ソケット部Ａが上記台座Ｂの凹部９内にあって、上記リード線１１を商用電源に接続すると台座Ｂからソケット部Ａ内に商用電源が流れ白熱電球Ｃが点灯し、さらに、このソケット部Ａ内の蓄電池２を充電する。
この状態が通常の状態となる。
【００２５】
そして、この状態において、商用電源の停電が発生した際、ソケット部Ａのプラグ４とソケット１との間に設けられたリレー５が作用して、各スイッチ５ａにより蓄電池２と携帯照明光源６を接続させて蓄電池２の電流をこれらの携帯照明光源６に流してこれらの携帯照明光源６を点灯させて当該携帯照明光源６を備えたソケット部Ａの位置を知らせる。その後、人の手により、台座Ｂのスイッチ９ａを押して台座Ｂの電磁回路をオンの状態にすると、ソケット部Ａの蓄電池２からこのソケット部Ａの側面の電気接触子７へ電気が流れ、さらに、電気接触子７に接触しているこの台座Ｂの凹部９の内周面１３に設けた電気接触子１９へと流れる。
【００２６】
この台座Ｂの電気接触子１９から流れた電流が台座Ｂの各電磁石１８ａ、１８ｂに流れて、これらの電磁石１８ａと１８ｂとは異極の磁力が発生して相互に吸引し、各スプリング１７の力に抗して各押圧係止片１６の先端を台座Ｂの凹部９の内周面１３の各孔１４内に戻らせる。これにより、各押圧係止片１６の先端は、ソケット部Ａの被係止孔８から外れ、当該台座Ｂの凹部９内における上記ソケット部Ａの係止を解除する。これらの各押圧係止片１６による係止が解除されたソケット部Ａは、台座Ｂの凹部９の底面の４つのスプリング１２により台座Ｂの凹部９の上方に押圧されてプラグ４とコンセント１０の接続を解除して台座Ｂの凹部９から飛び出る。
【００２７】
この様に、台座Ｂから分離したソケット部Ａを入手して携帯する。この状態で、上記携帯照明光源６が光って非常用照明として使用出来、ラジオ３のスイッチ（図示省略）をオンにすれば、ソケット部Ａの蓄電池２を電源としてラジオを聞くことが出来る。
台座Ｂの凹部９から飛び出たソケット部Ａは、台座Ｂのスプリング１２によって上方へ押圧されるが、照明器具Ｄ自体から遠くへ飛ばされるわけではなく、当該照明器具Ｄの傘内又はカバー内に位置している。この様なソケット部Ａを照明器具Ｄの窓２４を上方へあげて、点灯している携帯照明光源６を頼りに取り出し、当該ソケット部Ａに既に取付けられている白熱電球Ｃを割らないように外しておく。また、略Ｌ型の押圧係止片１６の孔１５から突出した押圧係止片１６の上部１６ａを指で動かすことにより、押圧係止片１６のソケット部Ａに対する係止を解除することが出来る。従って、万一スイッチ９ａを押しても、ソケット部Ａが台座Ｂから外れない場合、手動でこれを取り外すことも出来る。
【００２８】
また、図２及び図３に示すように、ソケット部Ａを台座Ｂの凹部９の中に収める時、ソケット部Ａの側面の底部から上方へ向けて縦方向に一定長の突起２０を、上記被係止孔８の位置とは９０度ずらして、１８０度の間隔で２つ設け、また、上記ソケット部Ａの突起２０に合わせて、上記台座Ｂの凹部９の内周面１３に上端面から底面に至る縦方向にガイド溝２１を２つ穿っておき、この台座Ｂのガイド溝２１内に上記ソケット部Ａの突起２０を嵌めてこの台座Ｂの凹部９内の最も下部まで当該ソケット部Ａを挿入した際、自動的に上記押圧係止片１６の先端が各被係止孔８に挿入出来るように、また、電気接触子７と電気接触子１９とが接触出来るように、さらに、このソケット部Ａのプラグ４が当該台座Ｂのコンセント１０に確実に差し込まれるようにすることも出来る。
【００２９】
さらに、この台座Ｂの上記ガイド溝２１を設けた個所の上端面に、手動により回動自在（図３において白矢印で示す）な当該ガイド溝２１の上端開口を塞ぐ、ストッパー２２を設け、上記商用電源の停電時にソケット部Ａが台座Ｂの係合を解かれた際、台座Ｂの凹部９に設けられたスプリング１２の作用により、ソケット部Ａが当該台座Ｂの凹部９から飛び出そうとするが、ソケット部Ａの両側の突起２０が各ストッパー２２に当り、当該飛び出しを防ぐことも出来る。また、このストッパーにより、ソケット部Ａが、例えば、天井や室内の壁面に取付けられた照明器具に用いられたものであっても、当該ソケット部Ａが台座Ｂの係合を解かれた後でも、当該ソケット部Ａが台座Ｂの凹部９内に有って落下するようなこともなく、安全である。
【００３０】
また、このソケット部Ａには、ラジオ３を設けたが、これに加えて携帯電話充電機能又は防災行政無線傍受機能を持たせるようにすることも出来る。さらに、避難場所等のコンセントが設けてあるところへ行って、ソケット部Ａのプラグ４を上記コンセントに差し込めば、蓄電池２の充電が出来、ラジオ機能、携帯電話充電機能又は防災行政無線傍受機能を長時間にわたって維持することが出来る。また、ソケット部Ａのプラグ４を上記コンセント１０に差し込んだ状態で、先ほど取り外したソケット部Ａの光源である白熱電球Ｃを当該ソケット部Ａのソケット１に再び取付ければ、通常の明るい照明となる。
【００３１】
この様な実施例のソケット部Ａ及び台座Ｂを使用した照明器具Ｄの具体例として、図４及び図５を示す。これらの照明器具Ｄは、何れも床置きタイプのもので、図４は、この台座Ｂに取付けたソケット部Ａの上から球状のカバー２３を設けたものであり、この球状のカバー２３は簡単に取り外しが出来るものである。また。図５は、いわゆるあんどん型のものであり、左側の窓２４を上方へ上げれば（図５において白矢印で示す）、簡単にこのソケット部Ａを取り出すことが出来る。
【００３２】
この様に、この実施例のソケット部Ａ及び台座Ｂを従来の照明器具に使用しても、従来の照明器具のソケット部分には、充分なスペースがあり、また、ソケット部Ａはそれ程大きくなるものではなく、また、照明器具の傘又はカバーの中は、広いスペースがあり、この実施例のソケット部Ａ及び台座Ｂを使用したものであっても、従来の照明器具とほぼ同様に使用することが出来る。
【００３３】
なお、この実施例において、ソケット部Ａ及び台座Ｂを使用する照明器具として、上記の床置きタイプのものに使用したが、ソケット部Ａ及び台座Ｂを使用するのは、これらのものに限らず、スタンド型、ブラケット（腕木）型のものなど、このソケット部Ａ及び台座Ｂを取付けられる照明器具なら何でも良い。また、ソケット部Ａを円柱型及び台座Ｂを円柱形状に設けたが、ソケット部Ａや台座Ｂの形状としては、これらに限定するものではなく、三角柱、四角柱などの多角柱、その他適宜の形状でもよい。また、押圧係止片１６を略Ｌ型に設け、上部１６ａを指で動かすことにより、押圧係止片１６の係止を解除できるとしているが、これらのことは、この発明の必須要件ではなく、さらに、押圧係止片１６の形状も略Ｌ型に限らず、扁平な板体や棒状体などであっても良い。
【００３４】
また、上記実施例では、リレー５をソケット１とプラグ４との間の回線に設けたが、蓄電池２とプラグ４との間の回線に設けても良い。さらに、携帯照明光源６としてＬＥＤを設けているが、携帯照明光源６としてはＬＥＤに限定するものではなく、白熱電球、蛍光ランプ、ハロゲンランプなどでも良い。また、ソケット部Ａに設ける蓄電池２としては、一般的なものでよく、さらには、充電可能な電池でも良い。
【図面の簡単な説明】
【００３５】
【図１】この発明の実施例のソケット部、台座及び発熱電球を夫々縦方向に分離した状態の一部断面図である。
【図２】図１の状態から中心線を回転軸として９０度回転させた状態のソケット部及び台座の一部断面図である。
【図３】図２における平面図である。
【図４】この発明の実施例のソケット部と台座を床置き球状カバータイプの照明器具に使用した状態の一部断面図である。
【図５】この発明の実施例のソケット部と台座を床置きあんどん型の照明器具に使用した状態の一部断面図である。
【図６】従来の床置き球状カバータイプの照明器具の一部断面図である。
【図７】従来の床置きあんどん型の照明器具の一部断面図である。
【符号の説明】
【００３６】
Ａ    ソケット部                      Ｂ    台座
Ｃ    白熱電球                        Ｄ    照明器具
１    ソケット                        ２    蓄電池
３    ラジオ                          ４    プラグ
５    リレー                          ５ａ  スイッチ
６    携帯照明光源                    ７    電気接触子
８    被係止孔                        ９    凹部
９ａ  スイッチ                      １０    コンセント
１１    リード線                      １２    スプリング
１３    内周面                        １４    孔
１６    押圧係止片                    １７    スプリング
１９    電気接触子                    ２０    突起
２１    ガイド溝                            ２２    ストッパー
【図１】
2006309966.tif 000003
【図２】
2006309966.tif 000004
【図３】
2006309966.tif 000005
【図４】
2006309966.tif 000006
【図５】
2006309966.tif 000007
【図６】
2006309966.tif 000008
【図７】
2006309966.tif 000009